(57)【要約】【課題】駆動部の固定箇所にかかる負荷を低減すること。【解決手段】実施形態に係る洗浄水タンク装置は、タンク部と、排水弁と、回動装置とを備える。タンク部は、洗浄水を貯留する。排水弁は、タンク部の内部に配置され、タンク部の底部に形成された排水口を閉塞する。回動装置は、排水弁を引き上げる。また、回動装置は、駆動部と、軸部と、接続部材とを備える。駆動部は、回転力を発生させる。軸部は、駆動部の回転力によって回動する。接続部材は、軸部と排水弁とを接続する。また、タンク部は、設置面と、固定部と、係止部とを備える。設置面は、洗浄水の貯留空間の上方に設けられる。固定部は、設置面に設けられ、駆動部を固定する。係止部は、設置面に設けられ、軸部の軸方向を中心とする駆動部の回転を規制するように駆動部を係止する。【選択図】図７
2020128639.tif 000002
【特許請求の範囲】
【請求項１】
洗浄水を貯留するタンク部と、
前記タンク部の内部に配置され、前記タンク部の底部に形成された排水口を閉塞する排水弁と、
前記排水弁を引き上げる回動装置と
を備え、
前記回動装置は、
回転力を発生させる駆動部と、
前記駆動部の回転力によって回動する軸部と、
前記軸部と前記排水弁とを接続する接続部材と
を備え、
前記タンク部は、
洗浄水の貯留空間の上方に設けられた設置面と、
前記設置面に設けられ、前記駆動部を固定するための固定部と、
前記設置面に設けられ、前記軸部の軸方向を中心とする前記駆動部の回転を規制するように前記駆動部を係止する係止部と
を備える、洗浄水タンク装置。
【請求項２】
前記係止部と前記軸部との距離は、前記固定部と前記軸部との距離よりも小さい、請求項１に記載の洗浄水タンク装置。
【請求項３】
前記設置面に立設され、前記軸部が挿入される挿入口を有する壁面
を備え、
前記係止部は、
前記軸部の前記挿入口への挿入方向に沿って延在し、前記駆動部の前記挿入方向への移動をガイドする、請求項１または２に記載の洗浄水タンク装置。
【請求項４】
前記駆動部は、
前記固定部に当接する被固定部を有し、
前記固定部は、
前記駆動部の回転力によって前記軸部が回動して前記排水弁を引き上げた際に前記駆動部が回転しようとする方向において前記被固定部よりも奥側に設けられる、請求項１〜３のいずれか一つに記載の洗浄水タンク装置。
【請求項５】
前記固定部は、
前記駆動部の固定に用いられるネジ穴を有し、
前記ネジ穴は、前記係止部よりも高い位置に設けられる、請求項１〜４のいずれか一つに記載の洗浄水タンク装置。
【発明の詳細な説明】
【技術分野】
【０００１】
開示の実施形態は、洗浄水タンク装置に関する。
【背景技術】
【０００２】
従来、洗浄水を貯留するタンクを備え、タンクに貯留された洗浄水を大便器に供給する洗浄水タンク装置が知られている。
【０００３】
特許文献１には、タンクの排水口を閉じる排水弁と、排水弁を引き上げることにより排水口を開放する回動装置とを備えた洗浄水タンク装置が開示されている。
【０００４】
回動装置は、ＤＣモータ等の駆動部と、駆動部から水平に延びる軸部と、軸部と排水弁とを接続する玉鎖とを備えており、タンクに対して駆動部がネジ止めされることによってタンクに強固に固定される。
【先行技術文献】
【特許文献】
【０００５】
【特許文献１】特開２０１４−７０４１５号公報
【発明の概要】
【発明が解決しようとする課題】
【０００６】
しかしながら、タンクに対して駆動部を強固に固定すると、たとえば、排水弁を引き上げた際に、固定箇所に負荷がかかることで、固定状態に影響が生じることがある。回動装置の固定状態に影響が生じると、たとえば排水動作に支障を来すおそれがある。
【０００７】
実施形態の一態様は、上記に鑑みてなされたものであって、駆動部の固定箇所にかかる負荷を低減することができる洗浄水タンク装置を提供することを目的とする。
【課題を解決するための手段】
【０００８】
実施形態の一態様に係る洗浄水タンク装置は、洗浄水を貯留するタンク部と、前記タンク部の内部に配置され、前記タンク部の底部に形成された排水口を閉塞する排水弁と、前記排水弁を引き上げる回動装置とを備え、前記回動装置は、回転力を発生させる駆動部と、前記駆動部の回転力によって回動する軸部と、前記軸部と前記排水弁とを接続する接続部材とを備え、前記タンク部は、洗浄水の貯留空間の上方に設けられた設置面と、前記設置面に設けられ、前記駆動部を固定するための固定部と、前記設置面に設けられ、前記軸部の軸方向を中心とする前記駆動部の回転を規制するように前記駆動部を係止する係止部とを備える。
【０００９】
係止部が軸部の軸方向を中心とする駆動部の回転を規制するように駆動部を係止することで、排水弁の引き上げ時に発生する駆動部を回転させる力を係止部において吸収することができる。このため、固定部に生じる負荷を低減することができる。
【００１０】
また、前記係止部と前記軸部との距離は、前記固定部と前記軸部との距離よりも小さい。このように、回転の中心となる軸部に近い場所に係止部を設けることで、係止部を軸部から遠い場所に設けた場合と比較して、同じ大きさの隙間でより大きな位置ずれ（回転）を許容することができる。言い換えれば、より小さな隙間で所望の位置ずれ許容量を達成することができるため、係止部をより小型に形成することができる。また、回転の中心となる軸部から遠い場所に固定部を設けることで、駆動部が回転した場合に固定部にかかる負荷を可及的に小さくすることができる。
【００１１】
また、実施形態の一態様に係る洗浄水タンク装置は、前記設置面に立設され、前記軸部が挿入される挿入口を有する壁面を備え、前記係止部は、前記軸部の前記挿入口への挿入方向に沿って延在し、前記駆動部の前記挿入方向への移動をガイドする。
【００１２】
このように、係止部は、軸部の挿入方向に沿って延在しているため、駆動部を移動させて軸部を挿入口へ挿入する動作に伴って、駆動部を係止部に係止させることができる。また、駆動部の挿入方向への移動を係止部によってガイドすることができる。したがって、施工性、メンテナンス性を向上させることができる。
【００１３】
また、前記駆動部は、前記固定部に当接する被固定部を有し、前記固定部は、前記駆動部の回転力によって前記軸部が回動して前記排水弁を引き上げた際に前記駆動部が回転しようとする方向において前記被固定部よりも奥側に設けられる。これにより、通常洗浄動作時における駆動部の回転を固定部により受け止めることができる。
【００１４】
また、前記固定部は、前記駆動部の固定に用いられるネジ穴を有し、前記ネジ穴は、前記係止部よりも高い位置に設けられる。
【００１５】
このように、固定部のネジ穴を係止部よりも高い位置に設けることで、ネジ穴に対して上方からアクセスする作業者の施工性、メンテナンス性を向上させることができる。
【発明の効果】
【００１６】
実施形態の一態様によれば、駆動部の固定箇所にかかる負荷を低減することができる。
【図面の簡単な説明】
【００１７】
【図１】図１は、実施形態に係る水洗大便器の構成を示す図である。
【図２】図２は、実施形態に係る洗浄水タンク装置の斜視図である。
【図３】図３は、実施形態に係る洗浄水タンク装置の平面図である。
【図４】図４は、図３に示すＩＶ−ＩＶ線断面図である。
【図５】図５は、実施形態に係るタンク本体および蓋の斜視図である。
【図６】図６は、実施形態に係る回動装置の斜視図である。
【図７】図７は、蓋に回動装置が取り付けられた状態を示す斜視図である。
【図８】図８は、蓋および回動装置の側面図である。
【図９】図９は、図８に示すＨ部の模式拡大図である。
【発明を実施するための形態】
【００１８】
以下、添付図面を参照して、本願の開示する洗浄水タンク装置の実施形態を詳細に説明する。なお、以下に示す実施形態によりこの発明が限定されるものではない。
【００１９】
＜水洗大便器の構成＞
まず、実施形態に係る洗浄水タンク装置を備えた水洗大便器の構成について図１を参照して説明する。図１は、実施形態に係る水洗大便器の構成を示す図である。
【００２０】
図１においては、説明の便宜上、鉛直上向きを正方向とするＺ軸を含む３次元の直交座標系を図示している。また、以下では、Ｘ軸正方向側の面を「左側面」、Ｘ軸負方向側の面を「右側面」と規定し、Ｙ軸正方向側の面を「正面」、Ｙ軸負方向側の面を「背面」と規定する。したがって、以下では、Ｘ軸方向を左右方向、Ｙ軸方向を前後方向、Ｚ軸方向を上下方向という場合がある。
【００２１】
図１に示すように、水洗大便器１は、便器本体２と、外装カバー３と、洗浄水タンク装置４とを備える。便器本体２は、トイレ室の床面に設置され、外装カバー３は、便器本体２の上部に設置される。また、洗浄水タンク装置４は、外装カバー３の内部に配置される。なお、便器本体２は、床置き式に限らず、壁掛け式であってもよい。また、洗浄水タンク装置４は、便器本体２から離れた場所に設置されてもよい。
【００２２】
便器本体２は、汚物を受けるボウル部２１と、洗浄水タンク装置４から供給される洗浄水をボウル部２１へ導く導水路２２と、ボウル部２１の下部に入口が接続され、ボウル部２１内の汚物を排水管（図示せず）へ排出する排水トラップ管路２３とを備える。排水トラップ管路２３は、トラップ部を構成する。
【００２３】
ボウル部２１には、導水路２２から供給される洗浄水を吐出する第１吐水口２４および第２吐水口２５が形成される。第１吐水口２４は、ボウル部２１の上部に形成されており、第１吐水口２４から吐出された洗浄水は、旋回しながら下降してボウル部２１を洗浄する。第２吐水口２５は、ボウル部２１の下部に形成されており、ボウル部２１の下部に貯留された洗浄水（貯留面Ｗ０を一点鎖線で示す）は、上下方向に旋回させる旋回流を生じさせる。
【００２４】
排水トラップ管路２３は、貯留面Ｗ０よりも下方に入口を有し、入口から上方へ延びる上昇路部分と、上昇路部分の末端から下方に延びて排水管に接続される下降路部分とを有する。
【００２５】
洗浄水タンク装置４は、外部の給水源から供給される洗浄水を貯留するタンク部を有し、タンク部に貯留された洗浄水を排水口５１を介して便器本体２の導水路２２に供給する。洗浄水タンク装置４は、外装カバー３に覆われており、使用者から洗浄水タンク装置４が視認されないようになっている。
【００２６】
＜洗浄水タンク装置の構成＞
次に、洗浄水タンク装置４の構成について図２〜図４を参照して説明する。図２は、実施形態に係る洗浄水タンク装置４の斜視図である。図３は、実施形態に係る洗浄水タンク装置４の平面図である。図４は、図３に示すＩＶ−ＩＶ線断面図である。
【００２７】
図２〜図４に示すように、洗浄水タンク装置４は、タンク本体５と、蓋６と、給水装置７と、排水装置８と、回動装置９とを備える。
【００２８】
タンク本体５は、後述する給水装置７から供給される洗浄水を貯留する。タンク本体５の底部には、排水口５１が設けられる。蓋６は、タンク本体５の上部に設けられ、タンク本体５の上方開口を覆う。蓋６には、タンク本体５の内部と連通する開口６１が設けられる。
【００２９】
給水装置７は、外部の給水源（図示せず）に給水管Ｌを介して接続され、給水源から供給される洗浄水をタンク本体５の上方から蓋６の開口６１を介してタンク本体５の内部に吐出する。
【００３０】
給水装置７は、一次側給水流路部７１（図４参照）と、二次側給水流路部７２と、中間流路部７３と、吐水口部７４とを備える。一次側給水流路部７１は、上下方向に延在し、下端部において給水管Ｌ（図２参照）に接続される。二次側給水流路部７２は、先端（下流端）が塞がれた円筒形状を有し、蓋６に設けられた開口６１に向かって水平方向（ここでは、左右方向）に延在する。中間流路部７３は、一次側給水流路部７１と二次側給水流路部７２との間に設けられ、一次側給水流路部７１と二次側給水流路部７２とを接続する。中間流路部７３には、たとえば、二次側給水流路部７２への吐水と止水とを切り替える電磁弁装置７５（図３参照）や、タンク本体５内の水位に連動して上下動するフロートによって二次側給水流路部７２への吐水と止水とを切り替える機械式開閉弁装置７６などが設けられる。
【００３１】
排水装置８は、タンク本体５の内部に配置される。排水装置８は、排水口５１を開放することにより、タンク本体５に貯留された洗浄水を導水路２２（図１参照）に流出させる。
【００３２】
排水装置８は、オーバーフロー管８１と、排水弁８２と、ガイド８３とを備える。オーバーフロー管８１は、上下方向に延びる円筒状の管部材である。オーバーフロー管８１は、排水口５１に連通しており、タンク本体５内の洗浄水の水位がオーバーフロー管８１の上端の高さ位置を上回った場合に、オーバーフロー管８１の上端からオーバーフロー管８１の内部に流入した洗浄水を排水口５１を介して導水路２２に流出させる。
【００３３】
排水弁８２は、オーバーフロー管８１の下端部に設けられており、排水口５１を閉塞する。ガイド８３は、オーバーフロー管８１を取り囲むように設けられており、後述する回動装置９によるオーバーフロー管８１の上下動をガイドする。
【００３４】
回動装置９は、オーバーフロー管８１を上下動させることにより排水弁８２を開閉する。回動装置９は、回転力を発生させる駆動部９１と、駆動部９１の回転力によって回動する軸部９２と、一端が軸部９２の先端に取り付けられ、他端がオーバーフロー管８１に取り付けられた玉鎖等の接続部材９３とを備える。駆動部９１は、たとえばＤＣモータ等のロータリモータと、ロータリモータを収容するケーシングとを含んで構成される。軸部９２は、駆動部９１のロータリモータに接続されるとともに、駆動部９１のケーシングを介して駆動部９１の外部に水平に突き出ている。軸部９２の先端には軸部９２の軸方向と直交する方向に延在する取付部９２１が設けられており、接続部材９３は、かかる取付部９２１に取り付けられる。実施形態において、軸部９２は、Ｘ軸方向に沿って延在しており、取付部９２１は、軸部９２よりもＹ軸負方向側に延在する。
【００３５】
駆動部９１が接続部材９３を上方に引き上げるように軸部９２を回動させると、オーバーフロー管８１およびオーバーフロー管８１に設けられた排水弁８２が接続部材９３とともに上昇して、排水口５１が開放される。これにより、タンク本体５に貯留された洗浄水が排水口５１から導水路２２に供給される。また、駆動部９１が接続部材９３を下方に引き下げるように軸部９２を回動させると、オーバーフロー管８１および排水弁８２が接続部材９３とともに下降する。これにより、排水口５１が排水弁８２によって閉塞されることで、タンク本体５からに導水路２２への給水が停止する。
【００３６】
また、回動装置９は、軸部９２を手動で回動させるためのレバー９４を備える。レバー９４は、駆動部９１の軸部９２が設けられる側（Ｘ軸正方向側）とは反対側（Ｘ軸負方向側）に設けられる。レバー９４は、軸部９２の回転軸と同一軸線上に設けられており、使用者は、レバー９４を回動させることにより、レバー９４と連動して軸部９２を回動させることができる。このように、回動装置９によれば、たとえば停電時において、排水弁８２の開閉を手動にて行うことができる。
【００３７】
＜回動装置の取り付け構造について＞
次に、回動装置９の取り付け構造について図５および図６を参照して説明する。図５は、実施形態に係るタンク本体５および蓋６の斜視図である。図６は、実施形態に係る回動装置９の斜視図である。
【００３８】
図５に示すように、蓋６は、設置面６２と、壁面６３と、固定部６４と、係止部６５とをさらに備える。
【００３９】
壁面６３は、開口６１を取り囲む壁部の一部であり、設置面６２における開口６１の縁部に立設される。壁面６３には、軸部９２が挿入される挿入口６３１が形成される。挿入口６３１は、軸部９２の軸方向（ここでは、Ｘ軸方向）に沿って開口しており、軸部９２は、軸方向に沿って挿入口６３１に挿入される。設置面６２は、壁面６３を挟んで開口６１に隣接する平坦面であり、タンク本体５の貯留空間を上方から閉塞する。
【００４０】
固定部６４および係止部６５は、設置面６２に設けられる。固定部６４は、設置面６２から上方に向かって突出する突出部６４１と、突出部６４１の上端に形成された当接面６４２と、当接面６４２に形成されたネジ穴６４３とを備える。
【００４１】
係止部６５は、軸部９２の挿入口６３１への挿入方向に沿って延在するレール状の部材であり、Ｉ字状の断面形状を有する。具体的には、係止部６５は、設置面６２に設けられるベース部６５１と、ベース部６５１の中央から上方に延在する括れ部６５２と、括れ部６５２の上端から挿入方向と直交する方向（ここでは、Ｙ軸方向）に沿って延在する一対の幅広部６５３ａ，６５３ｂとを備える。幅広部６５３ａは、Ｙ軸正方向に突出し、幅広部６５３ｂは、Ｙ軸負方向に突出する。
【００４２】
図６に示すように、回動装置９の駆動部９１は、被固定部９５と、被係止部９６とをさらに備える。
【００４３】
被固定部９５は、駆動部９１の周面から軸部９２の挿入方向と直交する方向（Ｙ軸方向）に沿って水平に突出する板状の部材であり、駆動部９１（ケーシング）と一体的に形成される。被固定部９５には、ネジ穴９５１が形成される。
【００４４】
被係止部９６は、軸部９２の挿入口６３１への挿入方向に沿って延在する部材であり、一対の垂直部９６１ａ，９６１ｂと、一対の水平部９６２ａ，９６２ｂとを備える。一対の垂直部９６１ａ，９６１ｂは、上記挿入方向と直交する方向（Ｙ軸方向）に間隔をあけて配置され、下方に延在する。一対の水平部９６２ａ，９６２ｂは、一対の垂直部９６１ａ，９６１ｂの下端部に設けられ、互いに接近する方向に延在する。具体的には、水平部９６２ａは、Ｙ軸負方向に突出し、水平部９６２ｂは、Ｙ軸正方向に突出する。
【００４５】
一対の垂直部９６１ａ，９６１ｂ間の距離は、係止部６５における幅広部６５３ａの先端から幅広部６５３ｂの先端までの距離（一対の幅広部６５３ａ，６５３ｂの全幅）よりも大きい。また、一対の水平部９６２ａ，９６２ｂ間の距離は、一対の幅広部６５３ａ，６５３ｂの全幅よりも小さく且つ括れ部６５２の幅よりも大きい。
【００４６】
作業者は、回動装置９を軸部９２の軸線に沿って水平に移動させることにより、蓋６の壁面６３に形成された挿入口６３１に回動装置９の軸部９２を挿入する。そうすると、被係止部９６が回動装置９の移動に伴って係止部６５にスライド挿入され、被係止部９６が備える一対の水平部９６２ａ，９６２ｂが、係止部６５が備えるベース部６５１と一対の幅広部６５３ａ，６５３ｂとの間（括れ部６５２の側方）に入り込む。これにより、回動装置９の駆動部９１が係止部６５に係止された状態となる。
【００４７】
このように、係止部６５は、軸部９２の挿入方向すなわち軸部９２の軸方向に延在しているため、駆動部９１を軸方向へ移動させて挿入口６３１へ挿入する動作に伴って、駆動部９１を係止部６５に係止させることができる。また、駆動部９１の軸方向への移動を係止部６５によってガイドすることもできる。したがって、施工性、メンテナンス性を向上させることができる。
【００４８】
なお、回動装置９が蓋６に取り付けられた状態において、係止部６５は、軸部９２の軸方向を中心とする駆動部９１の回転を規制するように駆動部９１を係止するが、この点については後述する。
【００４９】
また、挿入口６３１に回動装置９の軸部９２が挿入されることで、回動装置９の被固定部９５が固定部６４の当接面６４２に上方から当接し、被固定部９５のネジ穴９５１の位置と固定部６４のネジ穴６４３の位置とが一致した状態となる。作業者は、被固定部９５の上方から被固定部９５のネジ穴９５１および固定部６４の当接面６４２のネジ穴６４３にネジＳを挿通する。これにより、回動装置９は、蓋６にネジ固定される。図７に示すように、固定部６４に設けられるネジ穴６４３は、係止部６５よりも高い位置に設けられる。このため、ネジ穴６４３に対して上方からアクセスする作業者の施工性、メンテナンス性を向上させることができる。
【００５０】
図８は、蓋６および回動装置９の側面図である。また、図９は、図８に示すＨ部の模式拡大図である。
【００５１】
上述したように、軸部９２の取付部９２１は、軸部９２の軸負方向側に延在しており（図２参照）、回動装置９は、図８の方向から見て反時計回りに軸部９２を回動させることにより、排水弁８２を引き上げることができる。以下、この動作を「通常洗浄動作」と記載する。通常洗浄動作時において、回動装置９には、タンク本体５に貯留された洗浄水の抵抗等により、図８の方向から見て軸部９２を中心とする時計回りの力（図８中、実線の矢印で示す）が作用する。
【００５２】
これに対し、図９に示すように、係止部６５の幅広部６５３ｂと被係止部９６の水平部９６２ｂとの間には隙間Ｇ１が形成される。係止部６５の幅広部６５３ａと被係止部９６の水平部９６２ａとの間も同様である。このように、係止部６５と被係止部９６との間に隙間Ｇ１が設けられているため、通常洗浄動作時に生じる軸部９２を中心に回動装置９を回転させる時計回りの力をかかる隙間Ｇ１において吸収することができる。
【００５３】
また、上述したように、たとえば停電時において、使用者等は、図８の方向から見て反時計回りにレバー９４を回動させることにより、軸部９２を回動させて排水弁８２を引き上げることができる。この動作を「停電洗浄動作」と記載する。停電洗浄動作時において、回動装置９には、軸部９２を中心とする反時計回りの力（図８中、破線の矢印で示す）が作用する。
【００５４】
これに対し、図９に示すように、係止部６５の幅広部６５３ａと被係止部９６の垂直部９６１ａとの間には隙間Ｇ２が形成される。係止部６５の幅広部６５３ｂと被係止部９６の垂直部９６１ｂとの間も同様である。このように、係止部６５と被係止部９６との間に隙間Ｇ２が設けられているため、停電洗浄動作時に生じる軸部９２を中心に回動装置９を回転させる反時計回りの力をかかる隙間Ｇ２において吸収することができる。
【００５５】
このように、実施形態に係る水洗大便器１は、軸部９２を中心に回動装置９を回転させる力を係止部６５によって吸収することができるため、回動装置９の固定箇所である固定部６４、被固定部９５に生じる負荷を低減することができる。
【００５６】
なお、図７や図８等に示すように、係止部６５および被係止部９６は、軸部９２よりも前方（Ｙ軸正方向側）に配置され、固定部６４および被固定部９５は、軸部９２よりも後方（Ｙ軸負方向側）に配置される。
【００５７】
また、図８の方向から見た場合に、係止部６５と軸部９２との距離は、固定部６４と軸部９２との距離よりも小さい。すなわち、係止部６５は、固定部６４よりも軸部９２に近い位置に設けられている。
【００５８】
このように、回転の中心となる軸部９２に近い場所に係止部６５を設けることで、係止部６５を軸部９２から遠い場所に設けた場合と比較して、同じ大きさの隙間でより大きな位置ずれ（回転）を許容することができる。言い換えれば、より小さな隙間で所望の位置ずれ許容量を達成することができる。したがって、係止部６５をより小型に形成することができる。また、回転の中心となる軸部９２から遠い場所に固定部６４を設けることで、駆動部９１が回転した場合に固定部６４にかかる負荷を可及的に小さくすることができる。
【００５９】
また、図８に示すように、固定部６４は、回動装置９が備える被固定部９５の下方に設けられる。言い換えれば、固定部６４は、通常洗浄動作時に駆動部９１が回転しようとする方向（図８の方向から見て時計回りの方向）において被固定部９５よりも奥側に設けられる。これにより、通常洗浄動作時における駆動部９１の回転を固定部６４により受け止めることができる。なお、固定部６４は、通常洗浄時以外の洗浄動作（例えば停電時等における洗浄動作）においても、駆動部９１の回転を受け止めるように構成されることも好ましい。
【００６０】
上述してきたように、実施形態に係る洗浄水タンク装置４は、タンク部（一例として、タンク本体５および蓋６）と、排水弁８２と、回動装置９とを備える。タンク部は、洗浄水を貯留する。排水弁８２は、タンク部の内部に配置され、タンク部の底部に形成された排水口５１を閉塞する。回動装置９は、排水弁８２を引き上げる。また、回動装置９は、駆動部９１と、軸部９２と、接続部材９３とを備える。駆動部９１は、回転力を発生させる。軸部９２は、駆動部９１の回転力によって回動する。接続部材９３は、軸部９２と排水弁８２とを接続する。また、タンク部は、設置面６２と、固定部６４と、係止部６５とを備える。設置面６２は、洗浄水の貯留空間の上方に設けられる。固定部６４は、設置面６２に設けられ、駆動部９１を固定する。係止部６５は、設置面６２に設けられ、軸部９２の軸方向を中心とする駆動部９１の回転を規制するように駆動部９１を係止する。
【００６１】
係止部６５が軸部９２の軸方向を中心とする駆動部９１の回転を規制するように駆動部９１を係止することで、排水弁８２の引き上げ時に発生する駆動部９１を回転させる力を係止部６５において吸収することができる。このため、固定部６４に生じる負荷を低減することができる。
【００６２】
また、係止部６５と軸部９２との距離は、固定部６４と軸部との距離よりも小さい。このように、回転の中心となる軸部９２に近い場所に係止部６５を設けることで、係止部６５を軸部９２から遠い場所に設けた場合と比較して、同じ大きさの隙間でより大きな位置ずれ（回転）を許容することができる。言い換えれば、より小さな隙間で所望の位置ずれ許容量を達成することができる。したがって、係止部６５をより小型に形成することができる。また、回転の中心となる軸部９２から遠い場所に固定部６４を設けることで、駆動部９１が回転した場合に固定部６４にかかる負荷を可及的に小さくすることができる。
【００６３】
また、実施形態に係る洗浄水タンク装置４は、設置面６２に立設され、軸部９２が軸方向に沿って挿入される挿入口６３１を有する壁面６３を備える。また、係止部６５は、軸部９２の挿入口６３１への挿入方向に沿って延在し、駆動部９１の挿入方向への移動をガイドする。
【００６４】
このように、係止部６５は、軸部９２の挿入方向すなわち軸部９２の軸方向に沿って延在しているため、駆動部９１を移動させて軸部９２を挿入口６３１へ挿入する動作に伴って、駆動部９１を係止部６５に係止させることができる。また、駆動部９１の挿入方向への移動を係止部６５によってガイドすることもできる。したがって、施工性、メンテナンス性を向上させることができる。
【００６５】
また、駆動部９１は、固定部６４に当接する被固定部９５を有する。また、固定部６４は、駆動部９１の回転力によって軸部９２が回動して排水弁８２を引き上げた際に駆動部９１が回転しようとする方向において被固定部９５よりも奥側に設けられる。これにより、通常洗浄動作時における駆動部９１の回転を固定部６４により受け止めることができる。
【００６６】
また、固定部６４は、駆動部９１の固定に用いられるネジ穴６４３を有し、ネジ穴６４３は、係止部６５よりも高い位置に設けられる。このように、固定部６４のネジ穴６４３を係止部６５よりも高い位置に設けることで、ネジ穴６４３に対して上方からアクセスする作業者の施工性、メンテナンス性を向上させることができる。
【００６７】
上述した実施形態では、タンク部が、タンク本体５と蓋６とに分離可能に構成される場合の例について説明したが、タンク部は、タンク本体５と蓋６とが一体的に構成されたものであっても良い。
【００６８】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【００６９】
１  水洗大便器
２  便器本体
３  外装カバー
４  洗浄水タンク装置
５  タンク本体
６  蓋
７  給水装置
７１  一次側給水流路部
７２  二次側給水流路部
７３  中間流路部
７４  吐水口部
８  排水装置
８１  オーバーフロー管
８２  排水弁
８３  ガイド
９  回動装置
９１  駆動部
９２  軸部
９３  接続部材
【図１】
2020128639.tif 000003
【図２】
2020128639.tif 000004
【図３】
2020128639.tif 000005
【図４】
2020128639.tif 000006
【図５】
2020128639.tif 000007
【図６】
2020128639.tif 000008
【図７】
2020128639.tif 000009
【図８】
2020128639.tif 000010
【図９】
2020128639.tif 000011